(57)【要約】【課題】記録媒体の管理を容易にするために、番組毎や、番組のジャンル毎に記録媒体を用意しているユーザに対して、記録媒体のセットミスにより録画予約されている番組が別の用途の記録媒体に録画されるのを防止する録画装置を提供する。【解決手段】録画装置１は、本体にセットされているＤＶＤ１５に設定されている録画する番組の種別と、録画予約情報に基づいて録画する番組の種別と、が一致しない場合、この録画予約情報に基づく番組を、ＤＶＤ１５ではなく、ＨＤ６ａに録画する。したがって、ＤＶＤ１５には、設定されている種別以外の番組が録画されることことがない。【選択図】  図１
2007020077.tif 000002
【特許請求の範囲】
【請求項１】
番組の録画予約にかかる録画予約情報を記憶する録画予約情報記憶手段と、
前記録画予約情報記憶手段が記憶している前記録画予約情報に基づいて、番組を記録媒体に録画する録画手段と、を備えた録画装置において、
本体にセットされている記録媒体の所定の記録領域に記録されている、この記録媒体に録画する番組の種別を示す種別情報を読み取り、この記録媒体に録画する番組の種別を取得する第１の種別取得手段と、
前記録画手段が、前記録画予約情報に基づいて録画する番組の種別を取得する第２の種別取得手段と、
所定のタイミングで、前記第１の種別取得手段により本体にセットされている記録媒体に録画する番組の種別を取得し、前記録画手段が次に録画する番組の種別が、ここで取得した本体にセットされている記録媒体に録画する番組の種別に該当するかどうかを判定する種別判定手段と、
前記種別判定手段において該当しないと判定されたときに、前記録画手段に対して記録媒体への番組の録画を一時的に禁止する録画制限手段と、
前記種別判定手段において該当しないと判定されたときに、エラーメッセージを出力するエラーメッセージ出力手段と、を備え、
前記録画手段は、前記録画制限手段により記録媒体への番組の録画が一時的に禁止されているときに、前記録画予約情報記憶手段が記憶している前記録画予約情報による番組の録画開始時刻になった場合、この番組を本体に内蔵されている別の記録媒体に録画する手段である録画装置。
【請求項２】
番組の録画予約にかかる録画予約情報を記憶する録画予約情報記憶手段と、
前記録画予約情報記憶手段が記憶している前記録画予約情報に基づいて、番組を記録媒体に録画する録画手段と、を備えた録画装置において、
本体にセットされている記録媒体の所定の記録領域に記録されている、この記録媒体に録画する番組の種別を示す種別情報を読み取り、この記録媒体に録画する番組の種別を取得する第１の種別取得手段と、
前記録画手段が、前記録画予約情報に基づいて録画する番組の種別を取得する第２の種別取得手段と、
所定のタイミングで、前記第１の種別取得手段により本体にセットされている記録媒体に録画する番組の種別を取得し、前記録画手段が次に録画する番組の種別が、ここで取得した本体にセットされている記録媒体に録画する番組の種別に該当するかどうかを判定する種別判定手段と、
前記種別判定手段において該当しないと判定されたときに、前記録画手段に対して記録媒体への番組の録画を一時的に禁止する録画制限手段と、を備えた録画装置。
【請求項３】
前記種別判定手段において該当しないと判定されたときに、エラーメッセージを出力するエラーメッセージ出力手段を備えた請求項２に記載の録画装置。
【請求項４】
前記録画手段は、前記録画制限手段により記録媒体への番組の録画が一時的に禁止されているときに、前記録画予約情報記憶手段が記憶している前記録画予約情報による番組の録画開始時刻になった場合、この番組を本体に内蔵されている別の記録媒体に録画する手段である請求項２または３に記載の録画装置。
【請求項５】
番組の録画予約にかかる録画予約情報を記憶する録画予約情報記憶手段と、
前記録画予約情報記憶手段が記憶している前記録画予約情報に基づいて、番組を記録媒体に録画する録画手段と、を備えた録画装置において、
本体にセットされている記録媒体の所定の記録領域に記録されている、この記録媒体に録画する番組の種別を示す種別情報を読み取り、この記録媒体に録画する番組の種別を取得する第１の種別取得手段と、
前記録画手段が、前記録画予約情報に基づいて録画する番組の種別を取得する第２の種別取得手段と、
所定のタイミングで、前記第１の種別取得手段により本体にセットされている記録媒体に録画する番組の種別を取得し、前記録画手段が次に録画する番組の種別が、ここで取得した本体にセットされている記録媒体に録画する番組の種別に該当するかどうかを判定する種別判定手段と、
前記種別判定手段において該当しないと判定されたときに、エラーメッセージを出力するエラーメッセージ出力手段と、を備えた録画装置。
【発明の詳細な説明】
【技術分野】
【０００１】
この発明は、録画予約された番組を装置本体に対して着脱自在の記録媒体、例えばＤＶＤ、に録画する録画装置に関する。
【背景技術】
【０００２】
従来、テレビ放送等による番組を装置本体に対して着脱自在の記録媒体、例えばＤＶＤ、に録画する録画装置が一般に普及している。一般的な録画装置は、録画予約機能を有している。録画予約機能は、周知のように、ユーザにより入力された録画予約情報をメモリに記憶し、この録画予約情報に基づいて番組を記録媒体に録画する機能である。録画予約情報には、番組を録画する録画日（日付や曜日等）、録画開始時刻（放送開始時刻）、録画終了時刻（放送終了時刻）、放送チャンネル、録画する番組の画質等が含まれている。録画装置は、メモリに記憶しているいずれかの録画予約情報の録画開始日時（録画日の録画開始時刻）になると、この録画予約情報に含まれている放送チャンネルで放送されている番組（録画予約されている番組）の録画を開始し、この録画予約情報に含まれている録画終了時刻になると、この番組の録画を終了する機能である。
【０００３】
また、録画予約情報の入力にかかるユーザの操作性を向上させた装置が提案されている（特許文献１参照）。この装置は、記録媒体に過去に録画した番組の情報、例えば番組のタイトル、曜日、開始・終了時刻、を記録するとともに、ユーザが番組の録画予約を行うときに、記録媒体に記録されている過去に録画された番組の情報を一覧表示し、選択された番組について録画予約情報を生成し記憶する構成である。
【０００４】
また、番組の録画履歴から、ＥＰＧ（電子プログラムガイド）にある番組の優先度を決定し、決定した優先度の高い番組を自動的に録画予約する装置も提案されている（特許文献２参照）。
【特許文献１】特開２００４−２３４７０８号公報
【特許文献２】特開２００２−  ６４７７１号公報
【発明の開示】
【発明が解決しようとする課題】
【０００５】
しかしながら、多くのユーザは、番組をＤＶＤ等の装置本体に対して着脱自在の記録媒体、所謂リムーバブルな記録媒体、に録画する場合、記録媒体の管理を容易にするために、番組毎や、番組のジャンル毎に記録媒体を用意している。例えば、毎週放送される連続ドラマを録画する記録媒体、サッカー、野球等のスポーツ番組を録画する記録媒体、映画を録画する記録媒体等を用意している。このように、録画する番組に応じて記録媒体を用意しているユーザは、録画する番組に応じて本体にセットする記録媒体、すなわち番組を録画する記録媒体、を決定し、記録媒体毎に、その記録媒体の用途に該当する番組のみ録画するようにしている。一方、従来の録画装置は、記憶しているいずれかの録画予約情報の録画開始日時（録画日の録画開始時刻）になると、録画予約されている番組を本体にセットされている記録媒体に録画する。このため、ユーザが間違って別の用途の記録媒体を本体にセットしていた場合には、この別の用途の記録媒体に番組が録画されてしまう。このような記録媒体のセットミスが起こる可能性は高いにもかかわらず、従来の録画装置はこのセットミスに対する対策が何ら施されていなかった。
【０００６】
なお、記録媒体が書換形であれば、この間違って録画された番組を削除することもできるが、記録媒体が追記形のものであれば、間違って録画された番組を削除することもできない。
【０００７】
この発明の目的は、記録媒体の管理を容易にするために、番組毎や、番組のジャンル毎に記録媒体を用意しているユーザに対して、記録媒体のセットミスにより録画予約されている番組が別の用途の記録媒体に録画されるのを防止する録画装置を提供することにある。
【０００８】
また、この発明の目的は、記録媒体の管理を容易にするために、番組毎や、番組のジャンル毎に記録媒体を用意しているユーザに対して、記録媒体のセットミスが生じたときに、その旨をユーザに通知する録画装置を提供することにある。
【課題を解決するための手段】
【０００９】
この発明の録画装置は、上述の課題を解決するために以下の構成を備えている。
【００１０】
（１）番組の録画予約にかかる録画予約情報を記憶する録画予約情報記憶手段と、
前記録画予約情報記憶手段が記憶している前記録画予約情報に基づいて、番組を記録媒体に録画する録画手段と、を備えた録画装置において、
本体にセットされている記録媒体の所定の記録領域に記録されている、この記録媒体に録画する番組の種別を示す種別情報を読み取り、この記録媒体に録画する番組の種別を取得する第１の種別取得手段と、
前記録画手段が、前記録画予約情報に基づいて録画する番組の種別を取得する第２の種別取得手段と、
所定のタイミングで、前記第１の種別取得手段により本体にセットされている記録媒体に録画する番組の種別を取得し、前記録画手段が次に録画する番組の種別が、ここで取得した本体にセットされている記録媒体に録画する番組の種別に該当するかどうかを判定する種別判定手段と、
前記種別判定手段において該当しないと判定されたときに、前記録画手段に対して記録媒体への番組の録画を一時的に禁止する録画制限手段と、を備えている。
【００１１】
この構成では、第１の種別取得手段が、本体にセットされている記録媒体、例えばＤＶＤ、の所定の記録領域に記録されている、この記録媒体に録画する番組の種別を示す種別情報を読み取り、この記録媒体に録画する番組の種別を取得する。番組の種別を示す種別情報は、例えば番組のタイトルや、番組のジャンル（スポーツ、映画等）である。また、第２の番組情報取得手段が、録画予約されている番組の種別を取得する。第２の番組情報取得手段は、例えばＥＰＧ（電子プログラムガイド）から、録画予約されている番組の種別を取得する。
【００１２】
種別判定手段が、所定のタイミングで、例えば録画手段が録画予約情報に基づく番組の録画を開始する数分前（１〜２分前）、第１の種別取得手段により本体にセットされている記録媒体に録画する番組の種別を取得する。すなわち、この時点において、本体にセットされている記録媒体に録画する番組の種別を取得する。また、種別判定手段が、前記録画手段が次に録画する番組の種別が、ここで取得した本体にセットされている記録媒体に録画する番組の種別に該当するかどうかを判定する。そして、種別判定手段が該当しないと判定すると、すなわち別の用途の記録媒体が本体にセットされていると、録画制限手段が録画手段に対して記録媒体への番組の録画を一時的に禁止する。したがって、録画予約されている番組が、誤ってセットされた別の用途の記録媒体に録画されるという事態が生じるのを防止できる。
【００１３】
（２）前記種別判定手段において該当しないと判定されたときに、エラーメッセージを出力するエラーメッセージ出力手段を備えている。
【００１４】
この構成では、種別判定手段が該当しないと判定すると、すなわち別の用途の記録媒体が本体にセットされていると、エラーメッセージ出力手段がエラーメッセージを出力するので、このことをユーザに知らせることができる。これにより、本体にセットされている記録媒体をユーザを交換させることができ、録画予約されていた番組が録画されないという事態が生じるのを抑えられる。
【００１５】
また、上記所定のタイミングを、装置本体の電源オフ時とすれば、ユーザが装置本体の近くにいるときにエラーメッセージを出力することができ、別の用途の記録媒体が本体にセットされていることを、ユーザに確実に伝えることができる。
【００１６】
（３）前記録画手段は、前記録画制限手段により記録媒体への番組の録画が一時的に禁止されているときに、前記録画予約情報記憶手段が記憶している前記録画予約情報による番組の録画開始時刻になった場合、この番組を本体に内蔵されている別の記録媒体に録画する手段である。
【００１７】
この構成では、録画予約されている番組の録画開始時間になったときに、別の用途の記録媒体が本体にセットされていれば、この録画予約されている番組が本体に内蔵されている別の記録媒体、例えばハードディスク（ＨＤ）、に録画される。これにより、録画予約されていた番組が録画されないという事態が生じるのを確実に防止できる。
【発明の効果】
【００１８】
この発明によれば、録画予約されている番組が、誤ってセットされた別の用途の記録媒体に録画されるという事態が生じるのを防止できる。
【００１９】
また、録画予約されている番組に対して、別の用途の記録媒体が本体にセットされていることをユーザに知らせることができる。これにより、本体にセットされている記録媒体をユーザを交換させることができ、誤ってセットされた別の用途の記録媒体に録画されたり、録画予約されていた番組が録画されないという事態が生じるのを抑えられる。
【発明を実施するための最良の形態】
【００２０】
以下、この発明の実施形態である録画装置について説明する。
【００２１】
図１は、この発明の実施形態である録画装置の主要部の構成を示すブロック図である。この実施形態の録画装置１は、本体に対して着脱自在のＤＶＤ１５、または本体に内蔵されているハードディスク６ａ（ＨＤ６ａ）への番組の録画や、このＤＶＤ１５またはＨＤ６ａに録画されている番組の再生が行える、所謂ＨＤ付きＤＶＤレコーダである。この実施形態の録画装置１は、装置本体の動作を制御する制御部２と、選択されているチャンネルで放送されている番組を受信する受信部３と、受信部３で受信している番組をＤＶＤ１５またはＨＤ６ａに記録する形式のデータに変換する記録データ処理部４と、記録データ処理部４で変換された番組のデータをＤＶＤ１５に記録したり、ＤＶＤ１５に記録されているデータを読み取る第１の記録／読取部５と、記録データ処理部４で変換された番組のデータをＨＤ６ａに記録したり、ＨＤ６ａに記録されているデータを読み取る第２の記録／読取部６と、第１の記録／読取部５がＤＶＤ１５から読み取ったデータまたは第２の記録／読取部６がＨＤ６ａから読み取ったデータを処理する読取データ処理部７と、設定メニュー画面等、種々のＯＳＤ画像を生成するＯＳＤ画像生成部８と、画像信号を出力する画像信号出力部９と、音声信号を出力する音声信号出力部１０と、ユーザによる装置本体への入力操作を受け付ける入力操作受付部１１と、を備えている。制御部２は、図１では１つのブロックで示しているが、実際にはＤＶＤ１５やＨＤ６ａに対するデータの記録やＤＶＤ１５やＨＤ６ａに記録されているデータの読み取り等にかかるフロントエンド側（ＦＥ側）の処理部を制御するＦＥ側制御部、および番組の画像や音声の出力等にかかるバックエンド側（ＢＥ側）の処理部を制御するＢＥ側制御部で構成される。ＦＥ側制御部とＢＥ側制御部とは、通信可能に接続された構成である。この実施形態では、ＦＥ側制御部、およびＢＥ側制御部を制御部２として説明する。
【００２２】
なお、現在、ＦＥ側制御部、およびＢＥ側制御部を１つのチップに搭載する技術の開発が進められている。この技術開発については、ここでは説明を省略する。
【００２３】
受信部３は、選択されているチャンネルに対応する周波数帯域の放送信号を抽出するチューナを有している。このチューナは、アナログ放送を受信するアナログ用のチューナであってもよいし、ディジタル放送を受信するディジタル用のチューナであってもよい。また、ディジタル用、およびアナログ用の両方のチューナを受信部３に設けてもよい。記録データ処理部４は、受信部３で抽出されたチャンネルで放送されている番組の映像、および音声をＤＶＤ１５やＨＤ６ａに記録する形式のデータに変換する。例えば、番組の映像データ、および音声データをＭＰＥＧ２でエンコードする。記録データ処理部４は、ＤＶＤ１５やＨＤ６ａに記録する形式に変換した番組のデータを第１の記録／読取部５、または第２の記録／読取部６に入力する。第１の記録／読取部５は、ＤＶＤ１５にレーザ光を照射してデータを記録したり、ＤＶＤ１５に照射したレーザ光の反射光を検出することで、このＤＶＤ１５に記録されているデータを読み取るピックアップヘッド（不図示）を有している。また、ピックアップヘッドからＤＶＤ１５に照射するレーザ光を、このＤＶＤ１５の記録面に集光させるフォーカスサーボ制御や、レーザ光をＤＶＤ１５におけるデータの記録／読取トラックの中心に照射させるトラッキングサーボ制御を行う公知のサーボ機構部を有している。第１の記録／読取部５は、記録データ処理部４から入力された番組のデータに基づいてＤＶＤ１５に照射するレーザ光を制御し、この番組のデータをＤＶＤ１５に記録する。また、第１の記録／読取部５は、記録されているデータの読取信号、所謂ＲＦ信号、を読取データ処理部６に入力する。この読取信号は、レーザ光を照射したＤＶＤ１５からの反射光の検出信号をＲＦアンプ（不図示）で増幅した信号である。また、第２の記録／読取部６は、本体に内蔵されているＨＤ６ａに対してデータを記録したり、記録されているデータを読み取るドライブ回路である。第２の記録／読取部６は、ＨＤ６ａからの読取信号を読取データ処理部６に入力する。
【００２４】
読取データ処理部７は、第１の記録／読取部５、または第２の記録／読取部６から入力された読取信号を処理する。具体的には、ＤＶＤ１５またはＨＤ６ａに記録されているエンコードされたデータ（画像データ、および音声データ）を取得する処理、およびこのエンコードされているデータをデコードする処理を行う。読取データ処理部７は、処理した画像データをＯＳＤ画像生成部８に入力し、処理した音声データを音声出力部１０に入力する。ＯＳＤ画像生成部８は、ＯＳＤ画像メモリ（不図示）に記憶している設定メニュー画面等のＯＳＤ画像データを用いて、ＯＳＤ画像を生成する。ＯＳＤ画像生成部８は、生成したＯＳＤ画像を、読取データ処理部７から入力された画像データに基づく画像に重ね合わせた合成画像を生成する機能も有している。ＯＳＤ画像生成部８は、読取データ処理部７で処理された画像データに基づく画像、生成したＯＳＤ画像、またはＯＳＤ画像を読取データ処理部７から入力された画像データに基づく画像に重ね合わせた合成画像の画像データを画像出力部９に入力する。
【００２５】
画像出力部９は、ＯＳＤ画像生成部８から入力された画像データに基づく画像の画像信号を出力する。画像出力部９には、表示器１６が接続されている。画像出力部９は、接続されている表示器１６に応じた画像信号を出力する。表示器１６は、画像出力部９から入力された画像信号に基づく画像を表示する。また、音声出力部１０は、読取データ処理部７から入力された音声データに基づく音声信号を出力する。音声出力部９には、スピーカ１７が接続されている。スピーカ１７は、音声出力部９から入力された音声信号に基づく音声を出力する。また、入力操作受付部１１は、装置本体に対する入力操作を行う複数の操作キー（不図示）や、図示していないリモコンから送信されてきた装置本体に対する制御コードを受信するリモコン受信部（不図示）を有している。入力操作受付部１１は、ユーザにより操作された操作キーに応じた制御コードや、リモコン受信部で受信した制御コードを制御部２に通知する、制御部２は、入力操作受付部１１から通知された制御コードに基づいて、装置本体各部の動作を制御する。
【００２６】
この実施形態の録画装置１は、本体にセットされるＤＶＤ１５毎に、録画する番組の種別を設定することができる。具体的には、録画する番組の種別を含ませたディスク名を、ＤＶＤ１５のリードイン領域に記録することができるとともに、録画する番組の種別が含まれたディスク名が記録されているＤＶＤ１５については、その種別以外の番組を録画するのを制限することができる。ここで言う、番組の種別とは、番組のタイトルや番組のジャンルである。番組のタイトルを番組の種別とした場合には、そのタイトルの番組のみＤＶＤ１５に録画できる。また、番組のジャンルを番組の種別とした場合には、そのジャンルの番組のみＤＶＤ１５に録画できる。ここで言うジャンルとは、例えばスポーツ、映画、音楽である。
【００２７】
番組の種別を含ませたディスク名は、例えばユーザが任意に付けることができるディスク名の後ろに番組の種別を付加したものであり、ディスク名と、番組の種別との間に予め定めたコード（以下、特定コードと言う。）を挿入している。したがって、録画装置１は、ＤＶＤ１５から読み取ったディスク名において、特定コードの後ろに付加されている情報から、このＤＶＤ１５に録画する番組の種別を取得することができる。また、ＤＶＤ１５から読み取ったディスク名に、特定コードがなければ、録画する番組の種別が設定されていないＤＶＤ１５、すなわち録画する番組の種別が制限されていないＤＶＤ１５、であると判断する。
【００２８】
また、この実施形態の録画装置１は、本体に内蔵されているＨＤ６ａについては、録画する番組の種別がディスク名に含まれていないＤＶＤ１５と同様に、番組の種別によって録画を制限しない。録画装置１は、番組を録画する記録媒体をＤＶＤ１５、ＨＤ６ａから選択することができる。録画されている番組を再生する記録媒体をＤＶＤ１５、ＨＤ６ａから選択することもできる。さらに、一方の記録媒体に録画されている番組を他方の記録媒体に録画する、所謂ダビングも行える。この場合、第１の記録／読取部５または第２の記録／読取部６の一方が記録媒体から読み取った録画する番組のデータは、デコードすることなく他方の記録／読取部に入力され、この他方の記録／読取部が他方の記録媒体に録画する。
【００２９】
また、録画装置１は、受信部３においてＥＰＧ（電子プログラムガイド）を受信することができる。ＥＰＧは、周知のように、チャンネル毎に放送される番組の放送時間、タイトル、ジャンル、出演者等の種々の情報を登録した番組表である。このＥＰＧは、録画予約情報の入力や、録画予約されている番組の種別（タイトルやジャンル）を取得するのに利用される。制御部２は、入力された録画予約情報を記憶するメモリを有している。このメモリは、録画予約された番組毎に、その録画予約情報を登録した図２に示す録画予約テーブル２１を記憶する。録画予約情報には、番組を録画する録画日、開始時刻、終了時刻、チャンネル、画質、タイトル、およびジャンルが含まれている。ここでは、説明を簡単にするために、録画予約情報により録画される番組は、ＤＶＤ１５に優先的に録画する。但し、後述する処理において、ＤＶＤ１５への番組の録画が一時的に禁止されているとき（後述する録画許可フラグがオフしているとき）、録画予約情報に基づく番組をＨＤ６ａに録画する。
【００３０】
なお、録画予約情報に基づく番組を録画する記録媒体（ＤＶＤ１５、またはＨＤ６ａ）を選択できるようにしてもよい。この場合には、録画予約情報に、番組を録画する記録媒体を指定する項目を設ければよい。
【００３１】
録画予約情報における、録画日は、日付や曜日、さらには毎週○曜、毎日等、録画する番組の放送日を示す情報である。開始時刻は、番組の録画を開始する時刻、すなわち録画する番組の放送開始時刻、を示す情報である。終了時刻は、番組の録画を終了する時刻、すなわち録画する番組の放送終了時刻、を示す情報である。チャンネルは、録画する番組が放送されるチャンネルを示す情報である。画質は、ＤＶＤ１５に録画する番組の画質を示す情報である。一般的な録画装置１では、画質をＸＰ、ＳＰ、ＬＰ、ＥＰの４段階で設定できる。ＸＰが最も高画質であり、ＳＰ、ＬＰ、ＥＰの順に画質が低下する。また、タイトルは録画する番組の番組名を示す情報であり、ジャンルは録画する番組の分類、スポーツ、映画、音楽、サッカー等を示す情報である。録画予約情報におけるタイトルおよびジャンルは、録画装置１がＥＰＧを利用して取得する情報であり、ユーザは録画予約を行うときに、この２つの項目（番組名、タイトル）を入力する必要はない。ユーザは、録画日、開始時刻、終了時刻、チャンネル、および画質の各項目を個別に入力して録画予約を行うこともできる。また、ＥＰＧを利用して録画予約する番組を選択することで、録画日、開始時刻、終了時刻、チャンネルにかかる情報を一括して入力することもできる。但し、画質については、別途入力する必要がある。録画装置１は、入力された録画予約情報を録画予約テーブル２０に登録し記憶する。
【００３２】
また、この実施形態の録画装置１は、予め定められた件数、例えば１０件、の録画予約を受け付けることができる。言い換えれば、予め定められた件数の録画予約を受け付けている状態では、新たな番組の録画予約を受け付けることができない。また、制御部２は、今日の日付、曜日、現在時刻等を得るために、カレンダ機能、および時計機能を有している。このカレンダ機能や時計機能については公知であるので、ここでは説明を省略する。さらに、録画装置１は、必要に応じて表示器１６の電源をオン／オフすることができる。
【００３３】
以下、この発明の実施形態である録画装置１の動作について説明する。
【００３４】
なお、ここでは、ＤＶＤ１５やＨＤ６ａに録画されている番組を再生する再生処理や、ＤＶＤ１５、ＨＤ６ａの一方から他方に録画されている番組をダビングするダビング処理については、公知の手法と同じであるので、ここでは説明を省略する。
【００３５】
まず、ＤＶＤ１５に、録画する番組の種別を含ませたディスク名を記録するディスク名記録処理について説明する。図３は、このディスク名記録処理を示すフローチャートである。録画装置１は、表示器１６に設定メニュー画像を表示させているとき等に、ディスク名記録処理の実行を選択する入力があると、この処理を実行する。設定メニュー画像は、ＯＳＤ画像であり、ＯＳＤ画像生成部８により生成された画像である。画像出力部９が、この設定メニュー画像の画像信号を表示器１６に入力する。ユーザは、ディスク名記録処理の実行を選択する入力操作を、入力操作受け付け部１１の操作キー、またはリモコン装置で行う。録画装置１は、このディスク名記録処理を開始すると、まず本体にＤＶＤ１５がセットされているかどうかを判定する（ｓ１）。録画装置１は、ｓ１でＤＶＤ１５が本体にセットされていないと判定すると、ＤＶＤ１５がセットされるの待つ。このとき、録画装置１は、ＯＳＤ画像生成部１８において、ＤＶＤ１５を本体にセットされていないことを示すメッセージを含むＯＳＤ画像を生成し、このＯＳＤ画像を表示器１６に表示させる。
【００３６】
録画装置１は、本体にＤＶＤ１５がセットされると、このＤＶＤ１５のリードイン領域に記録されているディスク名を読み取る（ｓ２）。録画装置１は、今回本体にセットされたＤＶＤ１５にディスク名が記録されていなければ、すなわちｓ２でディスク名が読み取れなければ、ｓ３からｓ５にジャンプし、ディスク名の入力を受け付ける。一方、ディスク名が記録されているＤＶＤ１５であれば、ディスク名の変更を行うかどうかの入力を受け付ける（ｓ３→ｓ４）。録画装置１は、ｓ４でディスク名を変更する旨の入力を受け付けると、ｓ５で変更するディスク名の入力を受け付ける。録画装置１は、ｓ４ですでに記録されているディスク名を変更するかどうかの入力を受け付けるとき、ＯＳＤ画像生成部８において、このＤＶＤ１５に記録されているディスク名、すなわちｓ２で読み取ったディスク名、を示すＯＳＤ画像を生成し、このＯＳＤ画像を表示器１６に表示させる。これにより、録画装置１は、本体にセットされているＤＶＤ１５が間違ってセットされたＤＶＤ１５であるかどうかをユーザに確認させている。ユーザは、本体にセットされているＤＶＤ１５が間違ってセットされたＤＶＤ１５であると判断したとき、ディスク名を変更しない旨の入力操作を行う。
【００３７】
ｓ５では、ユーザが任意に設定できる名前と、このＤＶＤ１５に録画する番組の種別（番組のタイトル、またはジャンル）と、の２つの項目について入力を受け付ける。但し、ユーザは、ＤＶＤ１５に録画する番組の種別については、入力してもよいし、入力しなくてもよい。また、番組の種別については、過去に録画した番組のタイトルや、ジャンルを記憶しておき、これをＯＳＤ画像で表示器１６に一覧表示させて、ユーザに選択させるようにしてもよい。録画装置１は、ｓ５でディスク名の入力を受け付けると、ユーザが設定した名前と、番組の種別と、の間に、予め定められた特定コードを付加した、ディスク名を生成する（ｓ６）。但し、ＤＶＤ１５に録画する番組の種別が入力されていないときは、ｓ６で生成されるディスク名はユーザが設定した名前のみである。特定コード、および番組の種別を含まないディスク名である。
【００３８】
録画装置１は、ｓ６で生成したディスク名をＤＶＤ１５のリードイン領域に記録する（ｓ７）。ｓ７にかかるディスク名の記録は、第１の記録／読取部５がＤＶＤ１５のリードイン領域の適当なトラックにレーザ光を照射することにより行う。
【００３９】
なお、ＤＶＤ１５が追記形で、且つディスク名の変更である場合には、すでにディスク名が記録されているトラックとは別の未記録のトラックに、ｓ６で生成したディスク名を記録する。この場合、今回記録したディスク名を有効にし、先に記録されていたディスク名を無効にする。また、ＤＶＤ１５が書換形で、且つディスク名の変更である場合には、すでにディスク名が記録されているトラックに、ｓ６で生成したディスク名を上書きしてもよい。
【００４０】
録画装置１は、ｓ７でディスク名をＤＶＤ１５に記録すると、別のＤＶＤ１５にディスク名を記録するかどうかをの入力を待つ（ｓ８）。録画装置１は、別のＤＶＤ１５にディスク名を記録する旨の入力があると、本体にセットされているＤＶＤ１５をイジェクトし（ｓ９）、ｓ１に戻り、上記処理を繰り返す。また、録画装置１は、ｓ４で変更しない旨の入力があったときには、ｓ５〜ｓ７の処理を行わずに、ｓ８で別のＤＶＤ１５にディスク名を記録するかどうかをの入力を待つ。したがって、ユーザは、複数枚のＤＶＤ１５について、ディスク名を記録する処理を連続して行える。また、ディスク名を変更する必要のないＤＶＤ１５を本体に間違ってセットしたときも、ｓ４で変更しない旨の入力を行うだけでよい。
【００４１】
録画装置１は、ｓ８で別のＤＶＤ１５についてディスク名の記録を行わない旨の入力があると、ＤＶＤ１５をイジェクトすることなく、本処理を終了する。
【００４２】
なお、このときにイジェクトされなかったＤＶＤ１５は、装置本体に対してＤＶＤ１５のイジェクト操作を行うことで、取り出すことができる。
【００４３】
このように、この実施形態の録画装置１は、ＤＶＤ１５に対して、このＤＶＤ１５に録画する番組の種別を示す情報を含ませてディスク名を記録することができる。また、録画装置１は、このディスク名記録処理を実行しているとき、ユーザに対して入力操作を案内するＯＳＤ画像を適宜生成し、表示装置１６において表示させることで、ユーザに対する操作案内を行っている。
【００４４】
次に、録画装置１における録画予約情報の入力を受け付ける録画予約情報受付処理について説明する。図４は、この録画予約情報受付処理を示すフローチャートである。録画装置１は、番組の録画予約を要求する入力があったときに、この処理を実行する。録画装置１は、まず最初に、この時点で録画予約されている番組の件数が、予め定められている最大件数に達しているかどうかを判定する（ｓ１１）。録画装置１は、ｓ１１で最大件数に達していないと判定すると、録画予約情報の入力にＥＰＧを使用するかどうかの選択を受け付ける（ｓ１２）。録画装置１は、ＥＰＧを使用する旨の入力があると、受信部３においてＥＰＧを受信し（ｓ１３）、受信したＥＰＧに基づく番組表のＯＳＤ画像を生成する（ｓ１４）。録画装置１がｓ１４で作成した番組表は、表示装置１６において表示される。ｓ１４では、例えば今日から１週間（７日間）分の番組表が生成される。ユーザは、表示装置１６において表示されているＥＰＧに基づく番組表を見ながら、録画予約する番組を選択する。
【００４５】
録画装置１は、録画予約する番組の選択を受け付けると（ｓ１５）、今回選択された番組について、放送日（録画日）、放送開始時刻（録画開始時刻）、放送終了時刻（録画終了時刻）、放送チャンネル、番組のタイトル、および番組のジャンルを取得する（ｓ１６）。すなわち、ｓ１６において、画質以外の録画予約情報をＥＰＧのデータから取得する。録画装置１は、さらに録画する番組の画質の入力を受け付ける（ｓ１７）。録画装置１は、ｓ１６で取得した情報と、ｓ１７で受け付けた画質とに基づいて録画予約情報を生成し、これを録画予約テーブル２１に登録する（ｓ１８）。このように、ＥＰＧを使用した場合、ユーザは番組の選択と画質の入力だけで、録画予約情報を入力することができる。録画装置１は、ｓ１８で録画予約情報を録画予約テーブル２１に登録すると、つづけて別の番組の録画予約を行うかどうかの入力を受け付ける（ｓ１９）。
【００４６】
一方、録画装置１は、ｓ１２でＥＰＧを使用しない旨の入力を受け付けると、録画日、放送開始時刻、放送終了時刻、チャンネル、画質のそれぞれの項目について入力を受け付ける（ｓ２０）。録画装置１は、ｓ２０で入力受け付けた各項目を含む録画予約情報を生成し、これを録画予約テーブル２１に登録する（ｓ２１）。ｓ２１で生成され、録画予約テーブル２１に登録される録画予約情報には、録画する番組のタイトル、およびジャンルがこの時点では含まれていない。録画装置１は、ｓ２１で録画予約情報を録画予約テーブル２１に登録すると、ｓ１９でつづけて別の番組の録画予約を行うかどうかの入力を受け付ける。
【００４７】
録画装置１は、ｓ１９で別の番組について録画予約を行う旨の入力を受け付けると、録画予約されている番組の件数が、予め定められている最大件数に達しているかどうかを判定する（ｓ２２）。このｓ２２にかかる判定処理は、ｓ１１と同じ処理である。録画装置１はｓ２２で最大件数に達していないと判定すると、録画予約情報の入力にＥＰＧを使用するかどうかの選択を受け付ける（ｓ２３）。このｓ２３にかかる処理は、ｓ１２と同じ処理である。録画装置１は、ｓ２３でＥＰＧを使用する旨の入力を受け付けると、すでにｓ１４でＥＰＧに基づく番組表を作成しているかどうかを判定する（ｓ２４）。録画装置１は、ｓ２４ですでにＥＰＧに基づく番組表を作成していると判定すると、上述したｓ１５以降の処理を繰り返す。また、ｓ２４でＥＰＧに基づく番組表を作成していないと判定すると、上述したｓ１３以降の処理を繰り返す。さらに、録画装置１は、ｓ２３でＥＰＧを使用しない旨の入力を受け付けると、上述したｓ２０以降の処理を繰り返す。したがって、ユーザは、複数の番組についての録画予約が連続して行える。
【００４８】
また、録画装置１はｓ１１、またはｓ２２で録画予約されている番組の件数が、予め定められている最大件数に達していると判定すると、ＯＳＤ画像生成部８において録画予約されている番組の件数が最大件数に達していることをユーザに通知するＯＳＤ画像を生成し、このＯＳＤ画像を表示装置１６に表示させ（ｓ２５）、本処理を終了する。したがって、録画予約されている番組の件数が最大件数に達しており、これ以上番組の録画予約ができない状態であることをユーザに認識させることができる。また、録画装置１は、ｓ１９で別の番組の録画予約を行わない旨の入力を受け付けると、本処理を終了する。
【００４９】
また、この実施形態の録画装置１は、録画予約テーブル２１に登録されている番組の録画予約情報毎に、その登録を削除することができる。具体的には、録画装置１は、録画予約テーブル２１に登録されている録画予約情報の中から、削除する録画予約情報が選択されている状態で、削除を要求する入力操作を受け付けると、この時点で選択されている録画予約情報を録画予約テーブル２１から削除する。
【００５０】
次に、この実施形態の録画装置１におけるＤＶＤ１５の適正を判別する適正判定処理について説明する。この適正判定処理は、本体に適正なＤＶＤ１５がセットされているかどうかを判定する処理である。具体的に言うと、本体にセットされているＤＶＤ１５が、予約録画情報に基づいて、次に録画する番組の種別に応じたＤＶＤ１５であるかどうかを判別する処理である。図５は、この適正判定処理を示すフローチャートである。録画装置１は、ユーザの操作により主電源がオフされたとき、および録画予約されている番組の録画開始日時（録画日の録画開始時刻）の所定時間前（１〜２分前）に、この適正判定処理を実行する。録画装置１は、録画予約テーブル２１に録画予約情報が登録されているかどうかを判定する（ｓ３１）。すなわち、録画予約されている番組があるかどうかを判定する。録画装置１は、ｓ３１で録画予約されている番組がないと判定すると、本処理を終了する。
【００５１】
録画装置１は、ｓ３１で録画予約されている番組があると判定すると、次に録画する番組の録画予約情報にタイトル、およびジャンルが含まれているかどうかを判定する（ｓ３２）。録画装置１は、ｓ３２でタイトル、およびジャンルが含まれていないと判定すると、受信部３においてＥＰＧを受信し（ｓ３３）、次に録画する番組のタイトル、およびジャンルをｓ３３で受信したＥＰＧから取得する（ｓ３４）。録画装置１は、ｓ３４で取得したタイトル、およびジャンルを、録画予約テーブル２１に登録されている該当する番組の録画予約情報に追加する（ｓ３５）。すなわち、上述した録画予約情報受付処理で、ＥＰＧを使用せずに録画予約情報の入力が行われた番組については、この時点でタイトルおよびジャンルが録画予約情報に追加登録される。また、録画装置１は、ｓ３２でタイトル、およびジャンルが含まれていると判定すると、この録画予約情報からタイトル、およびジャンルを読み出すことで、次に録画する番組のタイトルおよびジャンルを取得する。
【００５２】
録画装置１は、ｓ３５、またはｓ３６にかかる処理が完了すると、本体にＤＶＤ１５がセットされているかどうかを判定する（ｓ３７）。録画装置１は、ｓ３７で本体にＤＶＤ１５がセットされていると判定すると、このＤＶＤ１５のリードイン領域に記録されているディスク名を読み出す（ｓ３８）。録画装置１は、ｓ３８で読み出したディスク名に、録画する番組の種別が含まれているかどうかを判定する（ｓ３９）。ｓ３９では、ｓ３８で読み出したディスク名の途中に、予め定められた特定コードがあるかどうかを判定し、この特定コードがあれば録画する番組の種別が含まれていると判定する。反対に、特定コードがなければ、録画する番組の種別が含まれていないと判定する。録画装置１は、ｓ３９でディスク名に録画する番組の種別が含まれていると判定すると、その種別を取得する（ｓ４０）。ｓ４０では、ｓ３８で読み取ったディスク名における特定コードの後ろを録画する番組の種別として取得する。ｓ４０で取得される番組の種別は、上述したディスク名記録処理で記録された、番組のタイトル、またはジャンルである。
【００５３】
録画装置１は、ｓ４０で取得した録画する番組の種別が、ｓ３４、またはｓ３６で取得した番組のタイトルまたはジャンルに該当するかどうかを判定する（ｓ４１）。ｓ４１では、ｓ４０で取得した種別が、ｓ３４、またはｓ３６で取得した番組のタイトルまたはジャンルと一致しているかどうかを判定し、一致していれば該当すると判定し、タイトルまたはジャンルと一致していなければ該当しないと判定する。録画装置１は、ｓ４１で該当すると判定すると、ＤＶＤ１５への番組の録画を許可する録画許可フラグをオンし（ｓ４２）、本処理を終了する。この録画許可フラグは、制御部２のメモリに記憶している。一方、録画装置１は、ｓ４１で該当しないと判定すると、この録画許可フラグをオフするとともに（ｓ４３）、ＯＳＤ画像生成部７において本体にセットされているＤＶＤ１５が、次に録画する番組の種別に対して適正でないことを通知するエラーメッセージを含むＯＳＤ画像を生成し（ｓ４４）、出力する（ｓ４５）。ｓ４４で生成されたＯＳＤ画像は、画像出力部９から出力され、表示器１６において表示される。この表示により、録画装置１にセットされているＤＶＤ１５が適正でないことを、ユーザに認識させ、ＤＶＤ１５を交換させることができる。特に、この適正判定処理は、ユーザにより装置本体の主電源をオフする操作が行われたときにも実行するようにしているので、ｓ４４で出力するＯＳＤ画像をユーザに確実に見せることができる。
【００５４】
なお、録画装置１は、ｓ４５でＯＳＤ画像を出力するとき、表示器１６の電源がオフされていれば、この表示器１６の電源をオンする。
【００５５】
また、録画装置１は、ｓ３７でＤＶＤ１５がセットされていないと判定すると、本処理を終了する。また、ｓ３９でディスク名に録画する番組の種別が含まれていないと判定すると、ｓ４２録画許可フラグをオンし、本処理を終了する。
【００５６】
なお、ユーザがｓ４５で出力されたＯＳＤ画像により、録画装置１にセットされているＤＶＤ１５が適正でないことを確認し、本体にセットされているＤＶＤ１５を交換したときには、一度主電源がオンされるので、このＤＶＤ１５の交換完了後に主電源がオフされたときに、再度この適正判定処理が実行される。このため、次に録画する番組の種別に対して適正であるＤＶＤ１５が本体にセットしなおされたときには、録画許可フラグはオンされる。
【００５７】
次に、録画装置１における予約録画情報に基づく予約録画処理について説明する。録画装置１は、予約録画テーブル２１に登録されているいずれかの予約録画情報の録画開始日時になると、この録画予約処理を実行する。図６は、この録画予約処理を示すフローチャートである。録画装置１は、受信部３において録画開始日時となった番組の受信を開始する（ｓ５１）。録画装置１は、本体にＤＶＤ１５がセットされているかどうかを判定する（ｓ５２）。録画装置１は、ｓ５２で本体にＤＶＤ１５がセットされていないと判定すると、番組を録画する記録媒体をＨＤ６ａに決定する（ｓ５３）。一方、ｓ５２で本体にＤＶＤ１５がセットされていると判定すると、録画許可フラグがオンであるか、オフであるかを判定する（ｓ５４）。録画装置１は、録画許可フラグがオフであると、ｓ５３で番組を録画する記録媒体をＨＤ６ａに決定する。反対に、録画許可フラグがオンであると、番組を録画する記録媒体をＤＶＤ１５に決定する（ｓ５５）。
【００５８】
録画装置１は、ｓ５３、またはｓ５５で決定した番組を録画する記録媒体（ＨＤ６ａ、またはＤＶＤ１５）に対して、受信部３で受信している番組の録画を開始する（ｓ５６）。受信部３で受信されている番組、すなわち録画予約されていた番組、の映像、および音声は記録データ処理部４に入力され、記録データ処理部４において、この番組の映像データ、および音声データがエンコードされる。記録データ処理部４は、番組を録画する記録媒体がＤＶＤ１５に決定されている場合、エンコードした映像データ、および音声データを第１の記録／読取部５に入力し、反対に番組を録画する記録媒体がＨＤ６ａに決定されている場合、エンコードした映像データ、および音声データを第２の記録／読取部６に入力する。第１の記録／読取部５または第２の記録／読取部６は、記録データ処理部４から入力されている、エンコードされた映像データ、および音声データをＤＶＤ１５またはＨＤ６ａに録画する。
【００５９】
録画装置１は、ｓ５６で番組の録画を開始すると、録画終了時刻になるのを待つ（ｓ５７）。録画装置１は、ｓ５７で録画終了時刻になったと判定すると、ＤＶＤ１５、またはＨＤ６ａへの番組の録画を停止するとともに（ｓ５８）、受信部３における番組の受信を停止し（ｓ５９）、本処理を終了する。
【００６０】
このように、この実施形態の録画装置１は、ＤＶＤ１５に録画する番組の種別を設定すると、その種別に該当しない番組が録画されることがないので、ユーザはＤＶＤ１５に録画されている番組の管理が簡単且つ適正に行える。また、ユーザが誤って別の用途のＤＶＤ１５を本体にセットしていたために、録画許可フラグがオフになっていても、録画予約していた番組についてはＨＤ６ａに録画されるので、ユーザが録画予約していた番組がどこにも録画されていないという事態が生じることもない。また、ユーザは、録画予約した番組を、後でＨＤ６ａから適正な用途のＤＶＤ１５にダビングすることもできる。
【００６１】
また、ユーザが録画キーを操作して番組を録画するときや、ＨＤ６ａに録画されている番組をＤＶＤ１５ａに録画するときにも、このＤＶＤ１５が適正であるかどうかを判定するようにしてもよい。具体的には、ユーザが録画キーを操作したときに、この時点で本体にセットされているＤＶＤ１５に設定されている録画する番組の種別が、ＤＶＤ１５に録画しようしている番組のタイトル、またはジャンルと、一致するかどうかを判定し、一致していなければ、ＤＶＤ１５への番組の録画を一時的に禁止すればよい。この判定の際に用いる、ＤＶＤ１５に録画しようしている番組のタイトル、およびジャンルについては、受信部３で受信している番組であればＥＰＧから取得すればよいし、ＨＤ６ａに録画している番組であれば、ＨＤ６ａへの録画時にこの番組の録画データと、この番組のタイトル、およびジャンルを対応付けてＨＤ６ａや制御部２のメモリに記録しておけばよい。また、このときにＯＳＤ画像でその旨をユーザを通知すればよい。このようにすれば、録画する番組の種別を設定したＤＶＤ１５に、該当しない種別の番組が録画されるのを確実に防止できる。
【図面の簡単な説明】
【００６２】
【図１】この発明の実施形態である録画装置の主要部の構成を示すブロック図である。
【図２】この発明の実施形態である録画装置が記憶する録画予約テーブルを示す図である。
【図３】この発明の実施形態である録画装置におけるディスク名記録処理を示すフローチャートである。
【図４】この発明の実施形態である録画装置における録画予約情報受付処理を示すフローチャートである。
【図５】この発明の実施形態である録画装置における適正判定処理を示すフローチャートである。
【図６】この発明の実施形態である録画装置における録画予約処理を示すフローチャートである。
【符号の説明】
【００６３】
１−録画装置
２−制御部
３−受信部
４−記録データ処理部
５−第１の記録／読取部
６−第２の記録／読取部
６ａ−ハードディスク（ＨＤ）
７−読取データ処理部
８−ＯＳＤ画像生成部
９−画像出力部
１０−音声出力部
１１−入力操作受付部
１５−ＤＶＤ
２１−録画予約テーブル
【図１】
2007020077.tif 000003
【図２】
2007020077.tif 000004
【図３】
2007020077.tif 000005
【図４】
2007020077.tif 000006
【図５】
2007020077.tif 000007
【図６】
2007020077.tif 000008